(57)【要約】  ハンズフリーモードで対象に固定されることができ、また、携帯で使用され得るように、そこに一体となったクランプを有するハンドルを備えたランタンである。電池区画がクランプアームのいずれか１つに配置され得る。
2015519697.tif 000002
【特許請求の範囲】
【請求項１】
光源と該光源を囲むケーシングとを備えるヘッドと、
前記ヘッドに回転可能に結合される端部と、把持部を有する反対側の端部とを備えるクランプと、
を備えるランタン。
【請求項２】
前記クランプは、第１アームと該第１アーム旋回可能に結合される第２アームとを備える、請求項１に記載のランタン。
【請求項３】
前記第１アームと第２アームとは、前記クランプを閉位置に向かわせるように互いにバイアスされている、請求項２に記載のランタン。
【請求項４】
前記第１アームと第２アームとはバネにより互いにバイアスされている、請求項３に記載のランタン。
【請求項５】
前記第１アームは、そこに配置される電池区画を有する、請求項２に記載のランタン。
【請求項６】
前記ケーシングは、光源がそこを通って光を放出するよう、少なくとも部分的に透明である、請求項１に記載のランタン。
【請求項７】
前記ヘッドはさらに、光透過部分を備えた外端とクランプ結合端とを備え、該クランプ結合端は前記クランプと回転可能に結合され、前記ケーシングは該外端と該クランプ結合端との間にある、請求項１に記載のランタン。
【請求項８】
前記光透過部分は、光源が光をそこを通して放出するように整列されている、請求項７に記載のランタン。
【請求項９】
前記第２アームは、そこに配置されたラッチを備え、該ラッチは前記クランプが開位置であるように、前記把持部の反対側にある前記第２アームの端を前記第１アームに結合する、請求項２に記載のランタン。
【請求項１０】
前記クランプは、前記閉位置のとき、実質的に円筒形状である、請求項３に記載のランタン。
【請求項１１】
前記第１クランプアーム、前記第２クランプアーム、又は前記ヘッドの少なくとも１つに電池区画をさらに備える、請求項２に記載のランタン。
【請求項１２】
前記第１アーム又は前記第２アームの少なくとも１つの中に電池区画をさらに備える、請求項２に記載のランタン。
【請求項１３】
前記ケーシングに結合される不透明な障害物をさらに備え、該障害物は、前記ケーシングの少なくとも一部分を覆う、請求項１に記載のランタン。
【請求項１４】
前記光透過部分は透明である、請求項７に記載のランタン。
【請求項１５】
前記クランプは前記第１アームと前記第２アームとの間に中空の内部を有する、請求項２に記載のランタン。
【請求項１６】
ケーシングと該ケーシング内の光源とを備えるヘッドと、
そこに一体に形成されるクランプを備えるハンドルと、を備えるランタンであって、
前記クランプは、該ヘッドに回転可能に結合された第１端と該第１端の反対側の第２端を備え、
前記クランプは、第１アームと該第１アームに回転可能に結合された第２アームとを備え、
前記第１アームと前記第２アームとは前記第２端で把持部を形成する、ランタン。
【請求項１７】
前記第１アームと前記第２アームとは、前記クランプを閉位置に向かわせるように互いにバイアスされている、請求項１６に記載のランタン。
【発明の詳細な説明】
【技術分野】
【０００１】
本発明は、一体となったクランプを有するハンドルを備えたランタンに関する。
【背景技術】
【０００２】
ランタンのユーザーの間に、取り付けのオプションにおいて、ハンズフリーの可能性や柔軟性について重要なニーズがある。このことは、ランタンがワークスペースを照らしている間にユーザーが両手で仕事に取り組むことができ、例えば、レクリエーションやアウトドア環境でランタンを使うときに異なる取り付け表面を利用することを可能にする。現状で利用可能なランタンは、取り付けるための他の対象に固定することができない底が平らな装置であり、それゆえ、しっかり置くためには比較的平らな表面を必要とする。
【０００３】
それゆえ、ユーザーにとって、ハンズフリーな作業を提供し、同時に、携帯性をも提供するランタンのニーズがある。
【発明の概要】
【０００４】
本発明によれば、従来技術に係るランタンのこれら欠点やその他の欠点は、対象に付着され得る一体化されたクランプを有するハンドルを備えた、新規なランタンのような照明装置を提供することによって、克服される。これによれば、対象に固定されるランタンをハンズフリーモードで使用することができ、それ自身立つことができる。一体化されたクランプを備えたハンドルを容易に掴み操作することができるように人間工学的に設計されているので、携帯モードでも使用することができる。    
【図面の簡単な説明】
【０００５】
【図１】本発明に係るランタンの正面斜視図。
【図２】図１のランタンの側面斜視図。
【図３】対象に固定されている図１のランタンを示す。
【発明を実施するための形態】
【０００６】
図１ないし３に、本発明に係るランタン１０が示されている。ランタン１０はヘッド２０とハンドル７０を備える。ハンドル７０は、さらに、メインアーム７２とクランプアーム７４とを備え、図示するように、それらは閉位置にバイアスされるように互いに取り付けられている。メインアーム７２とクランプアーム７４は、ユーザーによって掴み、握られ、メインアーム７２の端とクランプアーム７４の端とで定められるクランプ７６が開き、図３に示すように固定対象に取り付けられるようになる。クランプ７６が閉位置にあり、対象や取り付け表面に固定されていないとき（図２）、メインアーム７２とクランプアーム７４は、ユーザーが容易に、快適に持つことができ、ランタン１０を携帯にする。メインアーム７２とクランプアーム７４は、ランタン１０がそれ自身で立つことができるよう、開位置にセットされることもできる（図１）。
【０００７】
このように本発明は、ユーザーが対象に接続することによってハンズフリーに作業をすることができるランタン１０を提供する。これは、平らな表面にのみ座することができ典型的に底が平らな本体からなる従来技術に係るランタンとの注目すべき違いである。ランタン１０は、多くの種々の種類の取り付け表面、例えば、テーブルや他の平らな表面の端、支柱、配管、木の枝、衣料品やバックパック、及びそのようなものに利用することができる。
【０００８】
本明細書において、用語「ランタン」は、光源を囲み保護するケーシングを備えた照明装置を意味する。ケーシングは、少なくともその一部分において透明又は半透明であり、光源から放射される光がケーシングを通過することができる。光は、少なくとも２つの方向に、すなわち、長手方向軸（すなわち、ヘッド２０の頂部から）、又は径方向軸（ヘッド２０の側方から）に沿って射出され得る。
【０００９】
重要なことには、ヘッド２０はハンドル７０に関して旋回することができるので（より詳細には以下に説明される。）、ランタン１０は、それが吊るされていても、携帯されていても、真っ直ぐに立っていても、３６０度に放射される光を提供する。さらに、現在利用可能などのランタンも、クランプ７６により提供される有利な点に加えて、複数の携行方法、すなわち、多くの形式の対象への取り付けを提供しない。例えば、クランプ７６を有するハンドル７０によれば、ランタン１０を持ち運ぶとき、携行するハンドル上でランタンがスイングするのに対し、ハイカーがバックパックに留めることができる。
【００１０】
この機能を備えていても、ランタン１０は、ユーザーにとって携帯型を維持する。メインアーム７２とクランプアーム７４とはハンドル７０のための実質的に円筒状な本体を形成する。この人間工学的設計により、ユーザーは、ランタン１０を快適に、容易に操作することができる。
【００１１】
ランタン１０についての記述を容易にするため、用語「前」、「後ろ」、「頂部」、「底部」が、図１に示されたクランプアーム７４の前のメインアーム７２を備え、真っ直ぐに立っているランタン１０の描写について参照される。これらの方向を表す用語はランタンを記述するためのみに用いられ、以下に検討される特徴についての解釈を制限することを意味するものではない。
【００１２】
これまで検討したように、メインアーム７２とクランプアーム７４は、閉位置へ向かうようにバイアスされている。メインアーム７２とクランプアーム７４との間に張力を生成しバイアスをもたらすために、メインアーム７２とクランプアーム７４との間に、バネ、アクチュエータ又は他の機構（図示されていない）が配置され得る。メインアーム７２、クランプアーム７４及びバネ機構は、ピボットピンにより互いに結合され、該ピンは、メインアーム７２、クランプアーム７４、バネ機構及びバネ機構を安定するために用いられ得るスペイサー又はカバーの対応する孔の中を行く。
【００１３】
一実施例において、バネはトーションバネである。しかしながら本発明においては、メインアーム７２とクランプアーム７４との間に張力を生じ得るいかなる機構、例えば、張力バネ、引張りバネ、圧縮バネ、一体型プラスチックバネ、ワイヤ又はコイルバネ、及び板バネが考えられる。これら機構はクランプアーム７４の回転軸の周り、又はその他の位置に配置され得る。
【００１４】
ヘッド２２はケーシング２２を有する。示された実施例において、ケーシング２２は実質的に円筒状の外形を有しており、透明又は半透明である。ケーシング２２は、光源３０を囲み保護する。このように、電池又はその他の電源が光源３０に電気的に接続されるように配置されると、光が、光源３０からランタン１０の主な縦軸に対し側方にケーシング２２を通って外に放出される。ヘッド２０は、また、上端部２６を有する。上端部２６は、その中央に光放出部分２８を備えることができ、そのため、光が該部分２８を通ってランタン１０のトップを通って外に放出され得る。ヘッド２０は、また、上端部２６に結合されたストラップ２９を備えることができ、それによって、ユーザーはランタン１０を持ち運ぶことができる。
【００１５】
ヘッド２０は、ハンドル７０の頂部を通る水平軸の周りを回転できるようハンドル７０と結合されている。このことにより、ランタン１０のユーザーは、図３に示すように、クランプ７６が対象に固定されるときヘッド２０を適切な位置に動かすことができる。これまで検討してきたように、このことは、従来技術には見られないランタン１０のもう一つのかなり有利な特徴である。ランタン１０が対象に固定され得るのみならず、ユーザーは、最大かつ最適な照明を提供するため、ヘッド２０の角度を柔軟に調節できる。他のランタンは、ランタン本体に関してヘッド又は光の角度を調節する選択を有していない。
【００１６】
ヘッド２０の回転の円弧に沿って離散的な止めを設けることができ、例えば、ハンドル７０に関して完全に横又は直角である。ヘッド２０は、円弧に沿って任意の角度に置かれるよう構成され得る。ユーザーによって調節された場所にヘッド２０がとどまることを保証するため、ヘッド２０とハンドル７０との間に適切な大きさの摩擦があり得る。ヘッド２０とハンドル７０とは解除ボタンを有するピボットロッドにより互いに結合され得る。ヘッド２０は、ユーザーが解除ボタンを押すまで実質的に不動の位置にとどまる。その後、ユーザーはヘッド２０を所望の位置に動かすことができる。
【００１７】
示された実施例において、光源３０はヘッド２０の底部にある１つの光源である。電池電源に接続されると、光源３０は光を散乱させるチューブ３２を通して光を放出する。他の実施例では、３６０度方向に光を放出し光の出力を最大にするために円錐反射体を使用する異なるタイプの光源も使用され得る。ヘッド２０の上端部２６からの光を効率的に放出するために、それ自身の反射体とともに第２の光源（図示されない。）も使用され得る。
【００１８】
光源３０は、１つの光源、又はランタン１０に電源供給する電池に接続され同じ回路で動作する複数の光源であり得る。代替としては、光源３０は、少なくとも２つの分離した回路で動作する複数の光源であり得る。後者の実施例では、１つの回路はランタン１０の側方から放出する光源に携わり、もう１つの回路は上端部２６の光放出部分２８を通して放出する光源に携わる。この効果は１つの光源とそれら２つの間をスイッチすることができる機構によっても達成され得る。光源３０は、発光ダイオード（ＬＥＤ）であり得る。
【００１９】
膜ボタン３２がメインアーム７２に摩擦又はスナップフィットで結合されることができる。膜ボタン３２を通して、ユーザーは、メインアーム７２の区画７８に位置される電池（図示されていない。）との電気的接続に、上記で説明された照明回路を選択的に置くことができる。膜ボタン３２を通して、ユーザーは、すべての光をＯＦＦ、全ての光をＯＮ、又は選択された光はＯＮにし、他の光はＯＦＦにする状態の間を選択することができる。
【００２０】
ランタン１０はケーシング２２の部分を塞ぐことができる不透明な１つ又はそれより多い障害物（図示されていない。）を有しても良い。これら障害物は、ユーザーがケーシング２２の選択された領域を通してのみ光を透過させたいと望む状況に役立ち得る。障害物は、光を反対方向に向けるための、その内側部分上の反射体を有し得る。障害物は、ユーザーがケーシング２２の外側の側部に取り外して接続できる取り外し可能なアタッチメントであり得る。障害物は、上端部２６から下がる、又はハンドル７０に隣接したケーシング２２の低端部から引き上げられるカーテンでもあり得る。
【００２１】
示された実施例において、電池はメインアーム７２の中に位置する。しかしながら、本発明では、メインアーム７２、クランプアーム７４、若しくはヘッド２０の中、又はそれらの組み合わせの中に電池を収納することを考える。メインアーム７２及び／又はクランプアーム７４は、ハンドル７０をより容易に掴みやすくするためにオバーモールドされ得る。
【００２２】
クランプアーム７４は、また、その上端部にラッチ（図示されていない。）を有し得る。ラッチは前端を有し、ユーザーによって前方に押されると、該前端はメインアーム７２の凹みとかみ合う。ラッチがこのように凹みとかみ合うと、クランプ７６は開位置を維持し、ランタン１０は、図１に示されるように表面にスタンドアローン位置に置かれ得る。このことは、上記で説明されたことに加えて、ランタン１０にとって、ほかの動作モードをさらに提供する。本発明では、また、クランプ７６を開位置に保持する他の方法も考える。クランプ７６は、示されるようにランタン１０が逆立つのを補助するための足７７をその底に有し得る。
【００２３】
上記で説明したどの構成要素もアクリロニトリル  ブタジエン  スチレン（ＡＢＳ）、ナイロン、若しくはその他のプラスチックのような材料から、又は鋳造された若しくは打ち抜き加工された金属から作られ得る。
【００２４】
本発明は、１つ又はそれより多い典型的な実施例を参照して説明されてきたが、本発明の範囲を離れることなく、種々の変更がなされ、そこの構成要素を同等なものに置き換えてもよいことは、当業者ならば理解されるであろう。加えて、本開示の教示に対し、本発明の範囲を離れることなく、特別の状況や材料に適合させるため多くの変更がなされてよい。それゆえ、本発明は、この開示を実施するために最良の形態として考えられた特定の実施例に限定されるのではなく、特許請求の範囲に包含されるすべての実施例を含むものであることが意図される。
【図１】
2015519697.tif 000003
【図２】
2015519697.tif 000004
【図３】
2015519697.tif 000005
【国際調査報告】
2015519697.tif 000006